(57)【特許請求の範囲】
【請求項１】
表示領域を備える表示部と、
操作者が入力指示を行うための入力指示領域を設定する領域設定部と、
前記入力指示が行われる前記操作者の状況を取得する取得部と、
前記取得された状況情報に基づいて判断される前記操作者の両手の動作に応じて、前記表示領域の全領域のうちの一部の領域に対応付けられ、前記一部の領域内に対する前記操作者の選択操作を受け入れるための選択領域と、前記操作者の決定操作を受け入れるための決定領域とを、前記入力指示領域上で区別して配置する制御部と、
を含み、
前記制御部は、前記操作者の両手の動作の変化から認識される当該操作者の指のパターンに応じて、前記選択領域と前記決定領域とを入れ替えて配置することを特徴とする情報入力装置。
【請求項２】
前記一部の領域は、前記表示領域の中央で均等に２分割した領域よりも大きくなるように設定されていることを特徴とする請求項１に記載の情報入力装置。
【請求項３】
前記取得部が前記操作者の状況を撮像する撮像部の場合には、前記撮像部は、前記一部の領域に対応付けられた前記選択領域を撮像するように画角を設定し、前記撮像された画像を前記状況情報として取得し、
前記制御部は、前記撮像部からの前記画像に基づいて、前記選択領域における前記操作者の選択操作を判定するように構成されている請求項１または２に記載の情報入力装置。
【請求項４】
操作者が入力指示を行う状況を取得するステップと、
前記取得された状況情報に基づいて判断される前記操作者の両手の動作に応じて、表示部の全表示領域のうちの一部の領域に対応付けられ、前記一部の領域内に対する前記操作者の選択操作を受け入れるための選択領域と、前記操作者の決定操作を受け入れるための決定領域とを区別して配置するステップと、
を含み、
前記配置するステップは、前記操作者の両手の動作の変化から認識される当該操作者の指のパターンに応じて、前記選択領域と前記決定領域とを入れ替えて配置することを特徴とする情報入力方法。
【請求項５】
前記一部の領域は、前記表示領域の中央で均等に２分割した領域よりも大きくなるように設定されていることを特徴とする請求項４に記載の情報入力方法。
【請求項６】
請求項４または５に記載の情報入力方法をコンピュータに実行させるためのプログラム。
【発明の詳細な説明】
【技術分野】
【０００１】
本発明は、情報入力装置および情報入力方法に関し、より詳細には、操作者の手の動きを利用して入力操作を行うための情報入力装置および情報入力方法に関する。
【背景技術】
【０００２】
従来、操作者が手を動かすことによってコンピュータに入力指示を与え、この入力指示に基づいて行われる入力操作を実施する情報入力装置が知られている。例えば、特許文献１では、ＣＣＤカメラと、このＣＣＤカメラで撮像された画像中の物体の形状等を認識するコンピュータと、このコンピュータによって認識された物体を表示するディスプレイとを備え、ユーザの手振りによってディスプレイ上に表示されるカーソルの選択操作を行うようにする装置が開示されている。
【０００３】
特許文献２では、仮想平面上での操作者の手の動きで例えばドラッグ操作を行うようにする装置が開示されている。
【先行技術文献】
【特許文献】
【０００４】
【特許文献１】特開２００４−０７８９７７号公報
【特許文献２】特開２００４−２５８７１４号公報
【発明の概要】
【発明が解決しようとする課題】
【０００５】
特許文献１、２に開示された装置では、操作者が手を動かして操作する対象画面の範囲が広くなっている。しかしながら、操作される対象画面の範囲が広い状況下では、操作者の手の動きが正しく認識されず、従来の装置は、その手の動きに伴って、選択対象となるカーソル等のオブジェクトの移動を適切に行うことができないという問題があった。
【０００６】
そこで本発明は、操作対象画面の範囲を絞ることによって操作者の手の動きを正しく認識し、その手の動きに基づいて行なわれるオブジェクトに対する操作を適切に行うことを可能にする情報入力装置および情報入力方法を提供することを目的とする。
【課題を解決するための手段】
【０００７】
このような目的を達成するためするための情報入力装置は、表示領域を備える表示部と、操作者が入力指示を行うための入力指示領域を設定する領域設定部と、上記入力指示が行われる上記操作者の状況を取得する取得部と、上記取得された状況情報に基づいて判断される上記操作者の両手の動作に応じて、上記表示領域の全領域のうちの一部の領域に対応付けられ、上記一部の領域内に対する上記操作者の選択操作を受け入れるための選択領域と、上記操作者の決定操作を受け入れるための決定領域とを、上記入力指示領域上で区別して配置する制御部とを含み、上記制御部は、上記操作者の両手の動作の変化から認識される当該操作者の指のパターンに応じて、上記選択領域と上記決定領域とを入れ替えて配置する。
【０００８】
また、上記目的を達成するための情報入力方法は、操作者が入力指示を行う状況を取得するステップと、上記取得された状況情報に基づいて判断される上記操作者の両手の動作に応じて、表示部の全表示領域のうちの一部の領域に対応付けられ、上記一部の領域内に対する上記操作者の選択操作を受け入れるための選択領域と、上記操作者の決定操作を受け入れるための決定領域とを区別して配置するステップとを含み、上記配置するステップは、上記操作者の両手の動作の変化から認識される当該操作者の指のパターンに応じて、上記選択領域と上記決定領域とを入れ替えて配置する。
【０００９】
さらに、上記目的を達成するためのプログラムは、上記情報入力方法をコンピュータに実行させるためのものである。
【発明の効果】
【００１０】
本発明によれば、操作対象画面の範囲を絞ることによって操作者の手の動きを正しく認識し、その手の動きに基づいて行なわれるオブジェクトに対する操作を適切に行うことができる。
【図面の簡単な説明】
【００１１】
【図１】本発明の実施形態に係る情報入力装置の概要構成の一例を示す図である。
【図２】実施形態の情報入力装置において、操作者が入力指示を行う態様の一例を示す図である。
【図３】操作者が入力指示を行う場合に設定される選択領域および決定領域を上からみたときの各領域の位置関係の一例を示す図である。
【図４】操作者が入力指示を行う場合に設定される選択領域および決定領域を横からみたときの各領域の位置関係の一例を示す図である。
【図５】選択領域と決定領域とが入れ替わる場合の手の動きの変化態様の一例を示す図である。
【図６】表示装置に表示されるポインタが、選択領域における指の動きに対応して移動する場合の操作者の指示態様の一例を示す図である。
【図７】実施形態に係る情報入力装置の機能構成の一例を示す図である。
【図８】実施形態に係る情報入力装置の動作例を示すフローチャートである。
【図９】情報入力装置に備えられるカメラが４台の場合の変形例を示す図である。
【図１０】選択領域および決定領域が机面上に設定されるようにした変形例を示す図である。
【発明を実施するための形態】
【００１２】
以下、本発明の実施形態である情報入力装置について説明する。実施形態に係る情報入力装置は、操作者の手の動きに応じて操作者に入力操作をさせるものである。
【００１３】
[情報入力装置１の構成]
図１は、本発明の一実施形態に係る情報入力装置１のハードウエア上の構成例を示す図である。図１に示すように、情報入力装置１は、ＣＰＵ（Central Processing Unit）１１と、ＲＯＭ（Read Only Memory）１２と、ＲＡＭ（Random Access Memory）１３と、カメラ１４と、表示装置１５と、入力装置１６とを備える。
【００１４】
ＣＰＵ１１は、各構成要素とバスで接続されて制御信号やデータの転送処理を行うとともに、情報入力装置１全体の動作を実現するための各種のプログラムの実行、演算処理等を行う。
【００１５】
ＲＯＭ１２には、情報入力装置１全体の動作に必要なプログラムやデータが記録される。このプログラムはＤＶＤ−ＲＯＭ等の記録媒体に格納されており、ＲＡＭ１３に読み出されてＣＰＵ１１による実行が開始され、本実施形態の情報入力装置１が実現される。
【００１６】
ＲＡＭ１３には、データやプログラムが一時的に保持される。
【００１７】
カメラ１４は、操作者によって行われる入力指示の状況を撮像し、その画像がＣＰＵ１１へ伝送されて画像認識が行われる。後述するように、この実施形態の情報入力装置１では、カメラ１４は操作者によって行われる入力指示を認識するための二次元または三次元の画像を撮像するが、この撮像処理が可能であれば、カメラ１４の構成としていかなる方式もとり得る。カメラ１４は、例えば、ＣＣＤ（Charge Coupled Device）センサー搭載のカメラ、ＣＭＯＳ（Complementary Metal Oxide Semiconductor）センサー搭載のカメラ、赤外線カメラなどである。
【００１８】
表示装置１５は、例えば、液晶ディスプレイ、ＥＬ(Electro-Luminescence)などのフラットパネル表示器とすることができる。
【００１９】
入力装置１６は、例えば、キーボード、マウス、操作ボタン、タッチパネル、入力ペン、センサーなどを含む。
【００２０】
[入力指示の概略]
次に、情報入力装置１によって実現される操作者による入力指示の概略について説明する。
【００２１】
先ず、操作者の入力指示の態様について図２〜図４を参照して説明する。図２は、操作者の入力指示の態様の一例を示す図である。図３は、選択領域および決定領域を上からみたときの各領域の位置関係の一例を示す図である。図４は、選択領域および決定領域を横からみたときの各領域の位置関係の一例を示す図である。
【００２２】
図２に示すように、この情報入力装置１において、表示装置１５にはカメラ１４が取り付けられ、カメラ１４は、操作者が入力指示を行う状況、すなわち操作者５００の両手５０２，５０３の動きを撮像するように構成されている。
【００２３】
情報入力装置１は、カメラ１４によって撮像された画像から、操作者の両手５０２，５０３の指の形を認識し、その結果によって、仮想の入力指示領域としての選択領域Ｒ１と決定領域Ｒ２とを区別して配置するように構成されている。
【００２４】
選択操作は、表示装置１５上に表示されるオブジェクト（アイコン、ポインタ、カーソルなど）に対する選択指示である。決定操作は、クリック等の決定指示である。選択操作および決定操作については、後に詳細に説明する。
【００２５】
例えば、図２の例では、操作者５００が左手５０２を開き、右手５０３の人差し指を立てることによって、ＣＰＵ１１は、操作者５００の指の形に応じて、右手５０３側に、操作者５００の選択操作を受け入れるための選択領域Ｒ１を配置し、左手５０２側に、操作者５００の決定操作を受け入れるための決定領域Ｒ２を配置する。
【００２６】
以下の実施形態の説明では、人差し指を立てた状態の手の形のパターンを、選択領域Ｒ１の「手のパターン」と称する。この実施形態の情報入力装置１では、操作者５００の入力指示に伴う手のパターンでは、選択領域Ｒ１がその手の側に配置される。さらに、別の手の側に、決定領域Ｒ２が配置される。このことは、ＣＰＵ１１によって選択領域Ｒ１の手のパターンが認識されるたびに、選択領域Ｒ１と決定領域Ｒ２とが入れ替えて配置されることを意味し、これにより、操作者５００による選択操作が、例えば人差し指を立てた状態で行われることになる。
【００２７】
図２に示した２つの選択領域Ｒ１および決定領域Ｒ２は、予め定められた仮想の入力操作領域に配置される。例えば、図２〜図４に示すように、選択領域Ｒ１および決定領域Ｒ２はともに、操作者の視点５０１と表示画面１５の表示領域の四隅とを結ぶ範囲（図２〜図４において一点鎖線で示す。）に入らないように設けられる。そして図３に示すように、入力装置１６としてのキーボードと表示装置１５との間に、選択領域Ｒ１および決定領域Ｒ２が配置されている。これにより、カメラ１４は、操作者５００の両手の動きを認識可能なように撮像することができる。
【００２８】
選択領域Ｒ１および決定領域Ｒ２が配置される位置は、上述した例に限られず、操作者５００による入力指示の状況を認識可能に撮像することができれば変更可能である。
【００２９】
[領域Ｒ１，Ｒ２の入れ替え処理]
次に、選択領域Ｒ１と決定領域Ｒ２とを入れ替えて配置するための操作者５００の手の動きについて、図５を参照して説明する。図５は、選択領域Ｒ１と決定領域Ｒ２とが入れ替えて配置される場合の手５０２，５０３の動きの変化態様の一例を示す図であって、（ａ）右手５０３による選択操作の様子と、（ｂ）左手５０２による選択操作の様子とを示している。
【００３０】
図５（ａ）（ｂ）では、いずれかの手の人差し指を立てることによって、その手の側に選択領域Ｒ１が配置されている。この例では、右手５０３が、人差し指を立てた状態→指を全部開いた状態と変化し、左手５０２が、指を全部開いた状態→人差し指を立てた状態と変化している。情報入力装置１では、この変化に伴って、選択領域Ｒ１は、右手５０３→左手５０２の側に入れ替えて配置し、さらに、決定領域Ｒ２は、左手５０２→右手５０３の側に入れ替えて配置する。
【００３１】
[選択領域Ｒ１内での操作者の選択操作]
次に、選択領域Ｒ１内での操作者５００の選択操作について、図６を参照して説明する。図６は、表示装置１５に表示されるポインタ４０が、選択領域Ｒ１における指の動きに対応して移動する場合の操作者５００の操作態様の一例を示す図であって、（ａ）右手５０３による選択操作の様子と、（ｂ）左手５０３による選択操作の様子とを示している。
【００３２】
図６（ａ）（ｂ）では、選択領域Ｒ１は、表示装置１５の表示領域の全領域のうちの一部の領域１５１（図中、斜線で示す。）に対応付けられている。この情報入力装置１では、上述した領域１５１は、表示領域の中央（図中、上下方向に一点鎖線で示す。）で均等に２分割した領域よりも大きくなるように設定される。
【００３３】
図６（ａ）の例では、選択領域Ｒ１が右手５０３側に配置されているため、選択領域Ｒ１に対応付けられる一部の領域１５１は、例えば表示領域の中央（図中、上下方向に一点鎖線で示す。）よりも左側の領域を含めて設定される。そのため、選択領域Ｒ１内において、操作者５００が選択操作を行える表示領域は、図６（ａ）に示す領域１５１となる。
【００３４】
また、図６（ａ）では、選択領域Ｒ１内で右手５０２の人差し指を動かした場合に、その動きに伴って、人差し指２０の位置に対応付けられた領域１５１上のポインタ４０も動く様子を、符号２０，３０に示す実線で示してある。このようにして、選択領域Ｒ１内での選択操作が可能となる。
【００３５】
一方、図６（ｂ）に示す選択領域Ｒ１に対応付けられる一部の領域１５１は、表示領域の中央（図中、上下方向に一点鎖線で示す。）よりも右側の領域を含めて設定される。
【００３６】
図６（ａ）（ｂ）に示した選択領域Ｒ１内における選択操作の判定は、例えば、図６（ａ）（ｂ）に示した領域１５１に対応付けられた選択領域Ｒ１を撮像するようにカメラ１４の画角を設定しておき、上述した画角を有するカメラ１４からの画像に基づいて行われる。選択領域Ｒ１と領域１５１との対応付けは、例えばそれぞれの領域の座標データを変換するためのマッピングテーブルに従って行われる。例えば図６（ａ）に示したように、選択領域Ｒ１において操作者５００が人差し指を動かす場合には、ＣＰＵ１１は、その人差し指が指し示す選択領域Ｒ１上の位置（座標データ）に対応付けられる領域１５１内の「ポインタ４０の選択操作」と判定する。そして、ＣＰＵ１１では、選択領域Ｒ１内での人差し指の移動に伴って、領域１５１内でポインタ４０を移動させる。
【００３７】
選択領域Ｒ１に対応付けられる領域１５１の範囲は、上述した例に限られず、全表示領域を二分割した領域＜領域１５１＜全表示領域となるように設定すれば、変更可能である。
【００３８】
このように本実施形態の情報入力装置１では、操作者５００の手の動きに応じて、選択領域Ｒ１と決定領域Ｒ２とを入れ替えて配置することになるので、操作者５００がいずれかの手を使用して適切な選択操作を行うことになる。このことは、操作者５００が、選択対象となるオブジェクト（アイコン等）から近くにある手で選択指示を与えることによって、そのオブジェクトが選択されて選択操作がより直感的に行われることになり、これにより操作性が向上する。
【００３９】
[決定領域Ｒ２内での操作者の決定操作]
次に、決定領域Ｒ２内での操作者５００の決定操作について、図２を参照して説明する。
【００４０】
情報入力装置１では、図２に示した決定領域Ｒ２内において、操作者５００が左手５０２を使って所定の動作をすることによって、正しい決定操作と判定される。所定の動作の例として、決定領域Ｒ２から、左手５０２が表示装置１５に向かって押し出される場合、決定領域Ｒ２で左手５０２が、開いた状態→閉じた状態→開いた状態に変化する場合などがある。
【００４１】
[情報入力装置１の機能構成]
図７は、図１に示したハードウエア構成上で実現される情報入力装置１の機能構成の一例を示す図である。
【００４２】
図７に示すように、情報入力装置１は、表示部１０１、取得部１０２、記憶部１０３、領域設定部１０４および制御部１０５を備える。
【００４３】
表示部１０１は、図１における表示装置１５によって構成され、選択対象としてのオブジェクトを操作者に対して視認可能にするために設けられる。
【００４４】
取得部１０２は、操作者が入力指示を行う際の状況を取得する。この実施形態では、取得部１０２は、例えば図１におけるカメラ（撮像部）１４によって構成され、操作者が入力指示を行う際の状況を撮像するために設けられる。なお、取得部１０２は、操作者が入力指示を行う際の状況を取得できるのであれば、当業者に知られた他の構成、例えば操作者の手の動きを感知するモーションセンサを適用することもできる。
【００４５】
記憶部１０３は、図１におけるＲＯＭ１２およびＲＡＭ１３によって構成され、データを記憶する。
【００４６】
領域設定部１０４および制御部１０５は、ＣＰＵ１１によって機能する。領域設定部１０４は、操作者５００が入力指示を行うための入力指示領域を設定する。入力指示領域は、上述した選択領域Ｒ１および決定領域Ｒ２を配置するための仮想の領域である。
【００４７】
制御部１０５は、取得部１０２により得られる状況情報に基づいて判断される操作者５００の両手の動作に応じて、表示部１０１の全表示領域のうちの一部の領域１５１に対応付けられ、この領域１５１内に対する操作者５００の選択操作を受け入れるための選択領域Ｒ１と、操作者５００の決定操作を受け入れるための決定領域Ｒ２とを、上記入力指示領域上に区別して配置する。この実施形態では、一例として、取得部１０２をカメラ１４とするので、制御部１０５は、カメラ１４により撮像された画像、すなわち状況情報に基づいて、選択領域Ｒ１と決定領域Ｒ２との配置を行う。
【００４８】
[情報入力装置１の動作]
以下、この情報入力装置１の動作について、図１、図２および図６〜図８を参照して説明する。図８は、情報入力装置１の動作例を示すフローチャートである。
【００４９】
図８において、情報入力装置１のＣＰＵ１１（領域設定部１０４）は、操作者５００が入力指示を行うための入力指示領域を設定する（Ｓ１）。この入力指示領域は、例えば座標データとしてＲＯＭ１２に格納される。
【００５０】
カメラ（取得部１０２）１４は、図２に示すような状況、すなわち操作者５００が入力指示を行う状況を撮像（取得）する（Ｓ２）。
【００５１】
ＣＰＵ１１（制御部１０５）は、カメラ１４により得られる画像（状況情報）に基づいて、選択領域Ｒ１と決定領域Ｒ２とを区別して配置する。この場合、ＣＰＵ１１は、画像中に、選択領域Ｒ１の手のパターンがあると判断したときは、その手の側に選択領域Ｒ１を配置し、他方の手の側に決定領域Ｒ２を配置する。
【００５２】
例えば、図２の例では、選択領域Ｒ１が右手５０３側の入力指示領域に配置され、決定領域Ｒ２が左手５０２側の入力指示領域に配置されている。上述した選択領域Ｒ１は、表示装置１１の全表示領域のうちの一部の領域１５１に対応付けられる（図６参照）ので、図２の操作者５００は、図６に示した領域１５１内に対する選択操作を例えば右手５０３で行うことになる。図６（ａ）では、選択操作として、領域１５１内のポインタ４０が、右手５０３の人差し指を動かすことで移動している例を示している。
【００５３】
なお、入力指示領域に配置される各領域Ｒ１，Ｒ２の位置関係は、例えば座標データなどによって対応付けられる。
【００５４】
ＣＰＵ１１（制御部１０５）は、操作者５００による入力指示に基づく表示を行う（Ｓ４）。例えば、図６（ａ）の例では、ポインタ４０に対する選択操作でポインタ４０が右回りに移動している。この場合、ＣＰＵ１１（制御部１０５）は、全表示領域のうちの一部の領域１５１を撮像するカメラ１４からの画像に基づいて、選択領域Ｒ１内での操作者の人差し指の動きに伴う選択操作を判定し、その結果として、ポインタ４０を移動させる。
【００５５】
なお、図８において、ＣＰＵ１１（制御部１０５）は、カメラ１４からの画像に基づいて、選択領域Ｒ１の手のパターンか否かを判定し、その手のパターンであると判定した場合には、選択領域Ｒ１と決定領域Ｒ２とを入れ替えて配置し（Ｓ３）、入力指示に基づく表示を行うようにしてもよい（Ｓ４）。例えば、図６（ａ）（ｂ）では、両手の動きで、選択領域Ｒ１と決定領域Ｒ２とが入れ替えられて配置されている例を示している。
【００５６】
以上説明したように、本実施形態の情報入力装置１によれば、操作者５００が手を動かし、いずれかの手で選択領域Ｒ１の手のパターンとすることにより選択操作が行われる。ここで、選択操作は、選択領域Ｒ１に対応付けられた全表示領域の一部の領域に対して行うことが可能となるので、選択領域Ｒ１を撮像するようにカメラ１４の画角を設定することができる。これにより、本実施形態のカメラ１４では、全表示領域を撮像するように設定するようにした従来のものと異なり、画角を狭くすることができる。また、この情報入力装置１において、上述した画角の狭いカメラ１４からの画像に基づいて、操作者５００の選択操作の判定を行うため、操作者５００の手の動きを認識するべき画像認識の対象範囲が狭くなり、画像認識の精度が高くなる。例えば、表示装置１５が横ワイドディスプレイ（横：縦＝１６：９など）の場合、画像認識するべきジェスチャ操作の領域を狭くすることができるので、情報入力装置１は、カメラ１４から得られる画像認識の精度を高めることができる。換言すれば、情報入力装置１では、操作者５００の手の動きをより正確に認識することができる。したがって、操作者５００による選択操作がより正確に行える。
【００５７】
また、本実施形態の情報入力装置１において、選択領域Ｒ１は、全表示領域の一部の領域１５１に対応付けられているので、操作者５００のジェスチャ操作によって、例えばポインタ４０が、全表示領域の一部の領域１５１内を移動させることが可能になる。このとき、カメラ１４から得られる画像に基づいて認識される結果は、全表示領域ではなく、その一部の領域１５１に絞ってポインタ４０の操作に反映することができる。そのため、情報入力装置１では、操作者５００のジェスチャ操作に基づいて行なわれるオブジェクトに対する操作を適切に行うことができる。
【００５８】
さらに、選択対象に対するポインティングや決定操作としてのジェスチャは、左右の領域が入れ替えられて行われることで、操作者５００による一方の手だけの動作が防止される。このため、肉体疲労の軽減を実現するだけでなく、ポインティングの操作をポインティング対象に近い手・指で行うことができる。
【００５９】
また、選択領域Ｒ１に対応付けられる領域を全表示領域の一部とすることにより、選択領域Ｒ１が操作者５００の視野から入りにくくなる。したがって、カメラ１４は、操作者５００の手の形を撮像しやすくなり、情報入力装置１は画像認識を行ないやすくなる。さらに、搭載するカメラ１４の視野角を必要最小限にすることができ、広角ではない一般的なカメラ会議等の用途のカメラを使用することが可能となる。
【００６０】
次に、本実施形態の情報入力装置１の変形例について説明する。
【００６１】
（変形例１）
以上では、図２を参照して、１台のカメラ１４によって、操作者が入力指示を行う状況を撮像する場合について説明した。しかしながら、複数のカメラを設けるようにしてもよい。
【００６２】
図９は、情報入力装置１に備えられるカメラが４台の場合の変形例を示す図である。図９の例では、４台のカメラ１４Ａ，１４Ｂ，１４Ｃ，１４Ｄが表示装置１４に取り付けられている。このように構成することで、画像認識の精度を高めることができる。
【００６３】
（変形例２）
選択領域Ｒ１および決定領域Ｒ２の位置は、自由に設定することができる。例えば、図１０は、選択領域Ｒ１および決定領域Ｒ２が机面上に設定されるようにした変形例を示している。このようにすることで、操作者５００の手による入力指示の負担が軽減する。
【００６４】
（変形例３）
選択領域Ｒ１の手のパターンは、変更可能である。例えば、親指を立てるようにすることもできるし、手を閉じた状態にすることもできる。
【符号の説明】
【００６５】
１      情報入力装置
１１    ＣＰＵ
１４    カメラ
１５    表示装置
１０１  表示部
１０２  取得部
１０４  領域設定部
１０５  制御部
５００  操作者
Ｒ１    選択領域
Ｒ２    決定領域
【要約】
【課題】操作対象画面の範囲を絞ることによって操作者の手の動きを正しく認識し、その手の動きに基づいて行なわれるオブジェクトに対する操作を適切に行うことを可能にすること。
【解決手段】情報入力装置は、表示部１０１と、操作者が入力指示を行うための入力指示領域を設定する領域設定部１０４と、入力指示が行われる操作者の状況を取得する取得部１０２と、取得された状況情報に基づいて判断される操作者の両手の動作に応じて、表示領域の全領域のうちの一部の領域に対応付けられ、その一部の領域内に対する操作者の選択操作を受け入れるための選択領域と、操作者の決定操作を受け入れるための決定領域とを、入力指示領域上で区別して配置する制御部１０５とを含む。
【選択図】図７【図１】
0005401675.tif 000002
【図２】
0005401675.tif 000003
【図３】
0005401675.tif 000004
【図４】
0005401675.tif 000005
【図５】
0005401675.tif 000006
【図６】
0005401675.tif 000007
【図７】
0005401675.tif 000008
【図８】
0005401675.tif 000009
【図９】
0005401675.tif 000010
【図１０】
0005401675.tif 000011